(57)【特許請求の範囲】
【請求項１】
基本周波数を有する入力信号が電子ビームに印加されて、電子集群を形成する形式の電子ビーム管であって、集群器共振空洞と、出力信号が取り出される出力共振空洞と、基本周波数の高調波近くに誘導整調された最後から二番目の共振空洞とを有し、前記最後から二番目の共振空洞が、前記集群器共振空洞と前記出力共振空洞の間に配置されて、前記出力共振空洞に規定される容量内に部分的に延在していることを特徴とする管。
【請求項２】
前記入力信号が印加される入力共振空洞を有することを特徴とする請求項１に記載の管。
【請求項３】
前記入力共振空洞が、前記基本周波数に整調されていることを特徴とする請求項２に記載の管。
【請求項４】
前記出力共振空洞が、前記基本周波数に整調されていることを特徴とする請求項１に記載の管。
【請求項５】
前記出力共振空洞が、前記基本周波数の高調波に整調されていることを特徴とする請求項１に記載の管。
【請求項６】
前記最後から二番目の共振空洞が、前記基本周波数の２倍よりわずかに高い周波数に整調されていることを特徴とする請求項１に記載の管。
【請求項７】
前記最後から二番目の共振空洞の直前に、それぞれが前記基本周波数の高調波よりもわずかに高い周波数に整調されている、１個以上の共振空洞を有することを特徴とする請求項１に記載の管。
【請求項８】
前記入力共振空洞の近くに、前記基本周波数の高調波よりわずかに低い周波数に整調されている共振空洞を有することを特徴とする請求項２に記載の管。
【請求項９】
前記入力共振空洞と前記最後から二番目の共振空洞の間に、前記基本周波数よりわずかに高い周波数に整調されている複数の集群器共振空洞を有することを特徴とする請求項２に記載の管。
【請求項１０】
前記最後から二番目の共振空洞が、ドリフト管空間を有し、該ドリフト管空間は、前記最後から二番目の共振空洞が設けられない場合に出力共振空洞のドリフト管空間が配置される位置に、配置されることを特徴とする請求項１に記載の管。
【請求項１１】
前記最後から二番目の共振空洞と出力共振空洞が、共通の壁を有することを特徴とする請求項１に記載の管。
【請求項１２】
前記最後から二番目の共振空洞は、前記出力共振空洞の中に延在している実質的に円錐な部分を有することを特徴とする請求項１に記載の管。
【請求項１３】
前記電子ビームが、密度変調されていることを特徴とする請求項１に記載の管。
【請求項１４】
前記電子ビームが、速度変調されていることを特徴とする請求項１に記載の管。
【発明の詳細な説明】
【０００１】
（技術分野）
本発明は、基本周波数を有する入力信号が電子ビームに印加され、電子集群を形成する形式の電子ビーム管に関する。
【０００２】
（背景技術）
クライストロンは、印加される高周波入力信号と一連の共振空洞の相互作用により電子ビームの速度変調が達成される装置として良く知られている。図１は、電子銃１、入力共振空洞２、４つの中間空洞３、４、５および６、及び出力共振空洞７、次いで電子ビームコレクタ８を有する従来のクライストロンの概略を示している。動作中、電子ビームは、電子銃１によってクライストロンの軸X‐Xに沿って発生される。基本周波数として記載している高周波入力信号が、結合ループ９または他の結合手段を介して入力空洞２に結合され、入力空洞２のドリフト管空間１０と交差して電場を形成する。これは、ドリフト管空間１０へ到達する電子に作用し、印加される入力信号の相に呼応した到達時間によって、電子を加速または減速する。さらに、電子ビームの集群は、入力空洞２と出力空洞７の間にある後続の共振空洞によって促進される。この３つの中間空洞３、５、および６（集群器空洞として知られている）は、いわゆる誘導整調を与えるように、一般に１乃至５％の範囲であるが、基本周波数よりわずかに高い周波数に整調されている。その効果としては、ビームの電子を空間的に密にまとめ強固な集群を形成し、出力信号が結合ループ１１を介して取り出される出力空洞７における効率を向上する。出力空洞７は基本周波数に整調されている。中間空洞が基本周波数より少し高く整調されているのに加え、装置の入力端部近くに配置される共振空洞４は、基本周波数の２倍よりわずかに低く整調され、いわゆる容量整調を与える。容量整調された第２の高周波共振空洞４は、集群中の電子の速度拡散を減少させ、出力における効率を改善する。それは、中間空洞３から受け取るそれぞれの電子集群を、それぞれが中間空洞３からの大きな集群よりもより一様な速度分布を有する２つの集群に分割する。後続の誘導整調された中間空洞５および６は、第２の共振空洞４から受け取る分割された集群に作用し、それらを密にまとめ、出力空洞７において結局は再統合する。
【０００３】
（発明の開示）
本発明は、改善された効率を有する装置を提供しようとするものである。本発明は、特にクライストロンに適用可能であるが、動作中に電子の集群が生ずる密度および／または速度変調を用いる他の電子ビーム管の効率を改善するのにも適用できる。
【０００４】
本発明の第１の形態によれば、基本周波数を有する入力信号が電子ビームに印加されて、電子集群を形成する形式の電子ビーム管であって、集群器共振空洞と、基本周波数の高調波近くに誘導整調された最後から二番目の共振空洞と、出力信号が取り出される出力共振空洞を有することを特徴とする電子ビーム管が提供される。
【０００５】
本発明を適用すると効率を改善することができる。最後から二番目の共振空洞は、基本周波数の高調波において誘導整調を与えるように整調されおり、つまり基本周波数の高調波よりわずかに高い、一般には５％高い周波数に整調されている。このことは、出力空洞のドリフト管空間における集群の空間的拡散を減少させ、この集群をよりシャープにする。
【０００６】
電子集群を形成するように電子ビームを変調するために用いられる入力信号は、例えば高周波ＣＷ信号とすることできるし、またはＴＶや他のデータ信号で変調することもできる。本発明は、特にクライストロンに適用可能であるが、例えば誘導出力管（ＩＯＴ）や電子ビームの密度および速度変調の両方が起きる管のような、電子集群が発生する他の形式の管にも有効に使用できる。
【０００７】
入力信号が印加される入力共振空洞を設けることが望ましい。しかし、ある管では、例えば、電子ビーム銃の陰極の前方に配置されるグリッドを直接変調するために、入力信号を例えば同軸入力ラインを介して印加することができる。入力空洞を設ける場合には、それを基本周波数に整調することが望ましい。
【０００８】
出力空洞は、基本周波数に整調されることが望ましい。しかし、本発明は、出力空洞が基本周波数の高調波に整調される可能性のある、例えば周波数逓倍器に用いることができる。
【０００９】
本発明の有用な１つの実施態様では、最後から二番目の共振空洞は基本周波数の２倍よりわずかに高く整調される。しかし、最後から二番目の共振空洞は、基本周波数の第三高調波、第四高調波またはその他の大きい倍数よりわずかに高く整調することができる。１個以上の空洞を、それぞれが基本周波数の高調波において誘導結合される最後から二番目の空洞のすぐ前に配置するのが望ましい。選択される高調波周波数は、それぞれの場合において同一とすることができるし、又は、それぞれ異なる高調波周周波数とすることができる。選択される高調波周波数は、最後から二番目の共振空洞周波数のそれと同一とすることができる。
【００１０】
また、電子ビーム管は、容量性共振を与え、よって集群中の電子の速度拡散を減少させるために、基本周波数の高調波周波数よりわずかに低く整調された空洞を有することができる。そのような空洞は、管の高周波入力近くに配置されるのが望ましい。
【００１１】
本発明の特に有利な実施態様では、最後から二番目の空洞は、最後から二番目の空洞が管中に設けられない場合に出力空洞のドリフト管空間が配置されたであろう位置に配置される、ドリフト管空間を有している。この構造は特に有益で、出力空洞において効率がよい。１つの好ましい実施例では、最後から二番目の空洞は、出力空洞によって規定される容量範囲内に部分的に延在している。最後から二番目の空洞と出力空洞は共通の壁を有することができる。１つの好ましい配置では、最後から二番目の空洞は、出力空洞内に延在している円錐形の壁を有している。
【００１２】
本発明の第２の態様によれば、複数の電子集群が形成される形式の電子ビーム管であって、出力信号が取り出される出力共振空洞と、基本周波数の高調波近くに誘導整調され、出力空洞内に部分的に延在している最後から二番目の共振空洞を有する電子ビーム管が提供される。
さて、本発明が実施されるいくつかの方法を、添付図面を参照して、実施例によって説明する。
【００１３】
（発明を実施するための最良の形態）
第２図に示すように、本発明によるクライストロンは、第１図に示す従来品の配置と多くの点で類似している。それは、電子銃１２、管の基本周波数において共振する入力空洞１３と出力空洞１４およびコレクタ１５を有する。基本周波数よりわずかに高く整調された３個の中間空洞１６、１７および１８は、誘導整調を与えるように入力空洞１３と出力空洞１４の間に配置されている。第２の高調波共振空洞１９が、最初の２つの誘導整調された中間空洞１６と１７の間に配置され、電子ビームが基本周波数の２倍よりわずかに低い周波数で共振するように容量整調されている。結合手段２０が、変調入力信号を入力空洞に印加するために入力空洞に設けられ、また出力ループ２１が出力空洞１４からエネルギーを取り出すために用いられる。
【００１４】
出力空洞１４の前にある最後から二番目の空洞２２は、基本周波数の２倍よりわずかに高い周波数で共振し、それにより第２の高調波周波数において誘導整調を与える。最後から二番目の空洞２２のドリフト管空間２３は、もし最後から二番目の空洞が省略された場合に管の出力空間で占められる筈だった同じ位置に配置される。最後から二番目の空洞２２は、出力空洞１４によって規定される容量内に部分的に延在している。
【００１５】
最後から二番目の空洞空間２３の面におけるそれぞれの集群は、基本周波数の２分の１サイクルより低い値内に実質的に含まれている。最後から二番目の空洞２２の効果としては、あらかじめ誘導整調された基本周波数空洞１８から到達する電子集群をシャープにし、電子集群が空間的に拡散するのを減少させ、その電子密度を大きくすることにある。その集群をさらに圧縮すると、クライストロンの変換効率の改善につながる。最後から二番目の空洞２２のドリフト管空間２３は、出力空洞１４のドリフト管空間２４に比較的近くに配置されているため、この点における集群はしっかりしたままである。もしドリフト管空間２４が下流に動かされるようなことになれば、２１においてエネルギーが取り出される前に集群の解除を生ずる傾向となるであろう。
【００１６】
本発明の他の実施態様においては、容量整調された高調波空洞１９は省略され、配置される中間空洞が増減されることになるであろう。他の配置では、最後から二番目の空洞は、基本周波数の別の高調波における誘導整調を与えるように整調されることになるであろう。他の実施態様では、１個以上の誘導整調高調波空洞を、電子集群をよりシャープにするために最後から二番目の空洞の前に設けることができる。
【００１７】
第３図を参照すると、本発明による別のクライストロンが、基本周波数における入力信号が２倍になる周波数逓倍器で動作するように配置されている。構成要素は、図２に示すものと類似しているが、この場合出力空洞２５は、エネルギーが２倍の入力周波数において効率よく取り出せるように、基本周波数の２倍で共振する。
【００１８】
図４は、本発明による誘導出力管を示す。この配置では、グリッド２６が、電子銃の陰極２７の前に配置される。基本周波数の変調高周波信号が、電子銃を取り囲む入力共振空洞２８を介して陰極２６とグリッド２７の間の領域に印加される。この入力配置に続いて、最後から二番目の共振空洞２９が、基本周波数の２倍よりわずかに高い値で共振するように整調され、その出力が基本周波数で共振する出力空洞３０に受け渡される。出力信号が、連結手段３１を介してこの空洞３０から取り出される。
【００１９】
図５は、最後から二番目の共振空洞３２が、基本周波数の２倍よりわずかに高いところで共振するように整調されている本発明によるクライストロンの一部を概略的に示している。最後から二番目の空洞３２は、出力空洞３４と共通し、フラスト円錐形状をした、実質的に円錐形状の壁３３を有している。
【図面の簡単な説明】
【図１】  従来のクライストロンを示す概略図である。
【図２】  本発明によるクライストロンを示す概略図である。
【図３】  本発明による周波数逓倍器を示す概略図である。
【図４】  本発明によるＩＯＴを示す概略図である。
【図５】  最後から二番目の空洞と出力空洞の配置を示す概略図である。
【図１】
0004061021.tif 000002
【図２】
0004061021.tif 000003
【図３】
0004061021.tif 000004
【図４】
0004061021.tif 000005
【図５】
0004061021.tif 000006